(57)【要約】      （修正有）【課題】データを送信する方法と装置を提供する。【解決手段】方法は、少なくとも一つの１次リソース群の各々の中において少なくとも２つの２次リソース群を設定するステップであり、２次リソース群の各々は、少なくとも２つの基準信号を伝送可能であり、少なくとも２つの基準信号の各々は互いに異なるアンテナポートと対応しているステップを送信データを符号化処理し、２つのデータストリームを生成するステップと、２つの互いに異なるアンテナポートの利用可能なリソースエレメントの上に２つのデータストリームをマッピングするステップと、互いに異なるアンテナポートと対応している基準信号は１次リソース群に含まれる２つの異なる２次リソース群の上において伝送されるステップと、２つの互いに異なるアンテナポートの利用可能なリソースエレメントの上で、２つの互いに異なるアンテナポートにマッピングされたデータを送信するステップと、を備える。【選択図】図１
2020123969.tif 000002
【特許請求の範囲】
【請求項１】
データを受信する方法であって、
装置により、第１のアンテナ・ポートにより第１のリソース・セットで第１のデータ信号を受信するステップと、
前記装置により、第２のアンテナ・ポートにより第２のリソース・セットで第２のデータ信号を受信するステップと、
を有し、
前記第１のリソース・セットは２つの異なるアンテナ・ポートの２つの基準信号を伝送可能であり、前記第２のリソース・セットは２つの異なるアンテナ・ポートの２つの基準信号を伝送可能であり、前記第１のリソース・セット及び前記第２のリソース・セットは、時間及び周波数において互いに直交している、方法。
【請求項２】
前記第１のリソース・セットは、２つの基準信号のための６個の物理リソース・ブロック・ペアを有し、
前記第２のリソース・セットは、２つの基準信号のための６個の物理リソース・ブロック・ペアを有する、
請求項１に記載の方法。
【請求項３】
前記物理リソース・ブロック・ペアの各々は、２個のリソース・エレメント（ＲＥ）を有する、請求項２に記載の方法。
【請求項４】
前記第１のリソース・セットの中の前記第１のデータ信号のためのリソースは、物理ダウンリンク制御チャネル（ＰＤＣＣＨ）及び基準信号により占有されず、
前記第２のリソース・セットの中の前記第２のデータ信号のためのリソースは、ＰＤＣＣＨ及び基準信号により占有されない、
請求項１乃至３のいずれか一項に記載の方法。
【請求項５】
前記第１のデータ信号又は前記第２のデータ信号は、空間周波数ブロック符号化方法又は時空間ブロック符号化方法で符号化される、請求項１乃至４のいずれか一項に記載の方法。
【請求項６】
データを受信する装置であって、
プロセッサと、少なくとも２つのアンテナ・ポートを含む受信機と、を有し、
前記プロセッサは、前記受信機の第１のアンテナ・ポートにより第１のリソース・セットで第１のデータ信号を受信し、前記受信機の第２のアンテナ・ポートにより第２のリソース・セットで第２のデータ信号を受信するよう構成され、
前記第１のリソース・セットは２つの異なるアンテナ・ポートの２つの基準信号を伝送可能であり、前記第２のリソース・セットは２つの異なるアンテナ・ポートの２つの基準信号を伝送可能であり、前記第１のリソース・セット及び前記第２のリソース・セットは、時間及び周波数において互いに直交している、装置。
【請求項７】
前記第１のリソース・セットは、２つの基準信号のための６個の物理リソース・ブロック・ペアを有し、
前記第２のリソース・セットは、２つの基準信号のための６個の物理リソース・ブロック・ペアを有する、
請求項６に記載の装置。
【請求項８】
前記物理リソース・ブロック・ペアの各々は、２個のリソース・エレメントを有する、請求項7に記載の装置。
【請求項９】
前記第１のリソース・セットの中の前記第１のデータ信号のためのリソースは、ＰＤＣＣＨ及び基準信号により占有されず、
前記第２のリソース・セットの中の前記第２のデータ信号のためのリソースは、ＰＤＣＣＨ及び基準信号により占有されない、
請求項６乃至８のいずれか一項に記載の装置。
【請求項１０】
前記第１のデータ信号又は前記第２のデータ信号は、空間周波数ブロック符号化方法又は時空間ブロック符号化方法で符号化される、請求項６乃至８のいずれか一項に記載の装置。
【請求項１１】
請求項１乃至５のいずれか一項に記載の方法を実行するためのプログラムを有するコンピュータ可読コードを記録するコンピュータ可読記録媒体。 
【発明の詳細な説明】
【技術分野】
【０００１】
＜本願と関連出願との間の相互参照＞
本特許出願は、特願２０１４−５５２５０５号の分割出願であり、以下の２つの中国基礎出願に基づく優先権を主張し、その一つ目は、2012年１月21日付けで中国特許庁に出願され、「データを送信するための方法と装置」と題された中国特許出願「第２０１２１００１９８４１．８号」であり、二つ目は、2012年７月28日付けで中国特許庁に出願され、「データを送信するための方法と装置」と題された中国特許出願「第２０１２１０２６４１８９．６号」であり、これら２つに中国基礎出願の開示内容は、参照により本明細書中に組み込まれる。
【０００２】
本発明は、通信システムの技術分野と関係し、より具体的には、データを送信するための方法と装置とに関係する。
【背景技術】
【０００３】
ＬＴＥ（Ｌｏｎｇ  Ｔｅｒｍ  Ｅｖｏｌｕｔｉｏｎ）標準化仕様のリリース８／９／１０に従う通信システムは、動的スケジューリング技術を採用することによりシステムに性能を向上させている。この場合における動的スケジューリング技術とは、すなわち、基地局（ｅＮＢまたはｅｖｏｌｖｅｄ  Ｎｏｄｅ  Ｂと表記される）がユーザ機器のチャネル状況に応じてリソースを割り当て、スケジューリングすることによって、スケジューリングされたユーザが、当該ユーザ機器にとっての最適なチャネルの上で伝送を実行できるようにする技術である。
【０００４】
しかしながら、ＰＤＣＣＨ（Ｐｈｙｓｉｃａｌ  Ｄｏｗｎｌｉｎｋ  Ｃｏｎｔｒｏｌ  Ｃｈａｎｎｅｌ）の通信容量が制限されていることによる問題点は、ＬＴＥ標準化仕様のリリース１０のさらに進化したシステムにおいて解決課題として一層強調されている。マルチユーザＭＩＭＯ（Ｍｕｌｔｉｐｌｅ−Ｉｎｐｕｔ  Ｍｕｌｔｉｐｌｅ−Ｏｕｔｐｕｔ）は、進化したシステムにおいて一層広範に適用され、それにより、システムのスペクトル使用効率が改善される。その結果、同時にスケジューリング可能なユーザ機器の個数が増加することとなるので、より多くのＰＤＣＣＨが必要となる。これに基づいて、既存のＰＤＣＣＨが拡張される。すなわち、ＰＤＣＣＨの拡張された部分（ｅ−ＰＤＣＣＨ：Ｅｎｈａｎｃｅｄ  ＰＤＣＣＨ）を伝送するために、元々ＰＤＳＣＨが使用していた領域から一部のリソースが分割される。このようにして、ｅ−ＰＤＣＣＨに対して割り当てられるリソースには大幅な柔軟性があり、もはや従来のように３個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルだけに制限されることが無いので、当該ＰＤＣＣＨの通信容量を改善することができ、すなわち、同時にスケジューリング可能なユーザ機器の個数を向上させることが可能となる。他方、ｅ−ＰＤＣＣＨは、伝送方法に基づくＤＭＲＳ（各ＵＥに固有の復調用の基準信号）をさらに採用しており、制御チャネルの伝送効率を改善するために空間的な再利用のための仕組みを実装している。
【０００５】
現状において、データがＤＭＲＳに基づく送信ダイバーシティ方式に従って送信される場合、周波数領域上で連続する２つのＲＥ（Ｒｅｓｏｕｒｃｅ  Ｅｌｅｍｅｎｔ）の上と時間領域上で連続する２つのＲＥの上で時空間ブロック符号（Ａｌａｍｏｕｔｉ）による符号化処理が別々に実行された後に、当該データは以下の２種類の符号化方式において同時に送信される。すなわち、これら２種類の符号化方式は、ＳＦＢＣ（空間周波数ブロック符号化）とＳＴＢＣ（時空間ブロック符号化）である。しかしながら、ｅ−ＰＤＣＣＨ上のデータは２種類の送信ダイバーシティ方式を採用することにより伝送されることとなるので、ｅＮＢとＵＥ（ユーザ機器）との間において送受信を行う際の複雑性が増大してしまう。
【発明の概要】
【０００６】
上述したように、従来技術においては、ｅＮＢとＵＥ（ユーザ機器）（すなわち、データがＤＭＲＳに基づく送信ダイバーシティ方式に従って送信される場合に採用される２種類の送信ダイバーシティ方式によるユーザ）との間において送受信を行う際の複雑性が増大してしまうという問題点が存在するが、本発明に係る複数の実施例は、そのような問題点を解決するような態様でデータを送信するための方法と装置を開示する。
【０００７】
本発明に係る実施例は、以下のような技術的解決法を採用する。
【０００８】
少なくとも一つの１次リソース群の各々の中において少なくとも２つの２次リソース群を設定するステップであって、前記２次リソース群の各々は、少なくとも２つの基準信号を伝送可能であり、前記少なくとも２つの基準信号の各々は、互いに異なるアンテナ・ポートと対応している、ステップ；
送信すべきデータを符号化処理し、前記符号化処理されたデータから２つのデータ・ストリームを生成するステップ；
２つの前記互いに異なるアンテナ・ポートの利用可能なリソース・エレメントの上に前記２つのデータ・ストリームをマッピングするステップであって、前記互いに異なるアンテナ・ポートと対応している前記基準信号は、前記１次リソース群に含まれる２つの異なる２次リソース群の上において伝送される、ステップ；および、
前記２つの互いに異なるアンテナ・ポートの利用可能なリソース・エレメントの上において、前記２つの互いに異なるアンテナ・ポートにマッピングされたデータを送信するステップ；
を具備するデータ送信方法。
【０００９】
少なくとも一つの１次リソース群の各々の中において少なくとも２つの２次リソース群を設定するように構成された設定ユニットであって、前記２次リソース群の各々は、少なくとも２つの基準信号を伝送可能であり、前記少なくとも２つの基準信号の各々は、互いに異なるアンテナ・ポートと対応している、設定ユニット；
送信すべきデータを符号化処理し、前記符号化処理されたデータから２つのデータ・ストリームを生成するように構成された生成ユニット；
２つの前記互いに異なるアンテナ・ポートの利用可能なリソース・エレメントの上に前記２つのデータ・ストリームをマッピングするように構成されたマッピング・ユニットであって、前記互いに異なるアンテナ・ポートと対応している前記基準信号は、前記１次リソース群に含まれる２つの異なる２次リソース群の上において伝送される、マッピング・ユニット；および、
前記２つの互いに異なるアンテナ・ポートの利用可能なリソース・エレメントの上において、前記マッピング・ユニットによって前記２つの互いに異なるアンテナ・ポートにマッピングされたデータを送信する送信ユニット；
を具備するデータ送信装置。
【００１０】
本発明に係る実施例によって開示されるデータ送信方法及びデータ送信装置においては、まず最初に、少なくとも一つの１次リソース群の各々の中において少なくとも２つの２次リソース群が設定され、２次リソース群の各々において、少なくとも２つの基準信号が設定され、続いて、送信する必要のあるデータが符号化処理された後に、２つのデータ・ストリームが生成され、続いて、２つの互いに異なるアンテナ・ポートの利用可能なリソース・エレメントの上に当該２つのデータ・ストリームがマッピングされ、互いに異なるアンテナ・ポートと対応している当該少なくとも２つの基準信号の各々は、２つの異なる２次リソース群の上に設定され、最後に、上記２つの互いに異なるアンテナ・ポートの上記利用可能なリソース・エレメントの上において、上記２つの互いに異なるアンテナ・ポートから送信されるべきデータが送信される。現状において、データは、以下の２種類の符号化方式、すなわち、ＳＦＢＣとＳＴＢＣに従って同時に送信されるが、ｅ−ＰＤＣＣＨ上のデータ送信は２種類の送信ダイバーシティ方式を採用する必要があるので、ｅＮＢとＵＥ（ユーザ機器）との間において送受信を行う際の複雑性が増大してしまう。しかしながら、本発明に係る実施例によって開示される実施例においては、データの送信を可能とするために、単一の送信ダイバーシティ方式だけが必要とされ、それによって、ｅＮＢとＵＥ（ユーザ機器）との間において送受信を行う際の複雑性が増大してしまうという問題点を解決することが可能となる。
【００１１】
本発明に係る実施例に従う技術的解決法を一層明確に例示するために、以下の「図面の簡単な説明」の欄の記述は、本発明に係る実施例または先行技術を説明するのに必要とされる添付図面について簡潔に紹介する。当業者にとって明らかなように、以下の「図面の簡単な説明」の欄において記述される複数の添付図面は、本発明の幾つかの例示的実施例を単に例示しているだけであり、当該技術分野における当業者であれば、格別の創意工夫を要することなく、これらの添付図面の記載から他の実施例を描いた新たな図面を導き出すことが依然として可能である。
【図面の簡単な説明】
【００１２】
【図１】本発明に係る第１実施例に従ってデータを送信するための方法を示すフローチャート。
【図２】本発明に係る第１実施例に従ってデータを送信するための装置の構造を説明するブロック図。
【図３】本発明に係る第２実施例に従ってデータを送信するための方法を示すフローチャート。
【図４】本発明に係る第２実施例に従ってデータを送信するための装置の構造を説明するブロック図。
【図５】ＤＭＲＳポート７に対応する物理リソース・ブロック・ペアを図式的に説明するためのダイアグラム。
【図６】ＤＭＲＳポート８に対応する物理リソース・ブロック・ペアを図式的に説明するためのダイアグラム。
【図７】ＤＭＲＳポート９に対応する物理リソース・ブロック・ペアを図式的に説明するためのダイアグラム。
【図８】ＤＭＲＳポート１０に対応する物理リソース・ブロック・ペアを図式的に説明するためのダイアグラム。
【図９】ＤＭＲＳポート７に対応する物理リソース・ブロック・ペアの符号化について図式的に説明するためのダイアグラム。
【図１０】ＤＭＲＳポート８に対応する物理リソース・ブロック・ペアの符号化について図式的に説明するためのダイアグラム。
【図１１】ＤＭＲＳポート９に対応する物理リソース・ブロック・ペアの符号化について図式的に説明するためのダイアグラム。
【図１２】ＤＭＲＳポート１０に対応する物理リソース・ブロック・ペアの符号化について図式的に説明するためのダイアグラム。
【図１３】複数の異なるＲＲＨ同士の間での干渉状態を図式的に説明するためのダイアグラム。
【発明を実施するための形態】
【００１３】
以下の記述は、本発明に係る実施例を図示する添付図面を参照しながら、本発明に係る実施例に従う技術的解決法を明確に説明する。当業者にとって明らかなように、後述する実施例は、本発明に係る全ての実施例を網羅するものではなく、そのような実施例の一部を単に例示しているだけである。本発明に係る以下の実施例に基づいて当業者によって格別の創意工夫を要さずに導き出すことが可能なその他の全ての実施例は、本発明の権利保護範囲の中に含まれるはずである。
【００１４】
本発明に係る技術的解決法が有する技術的優位性を一層分かりやすく説明するために、以下の記述は、本発明に係る実施例と添付図面の記載を参照しながら、本発明の技術内容をさらに詳細に説明する。
【００１５】
＜第１実施例＞
本発明に係る第１実施例は、図１のフローチャートに示すようなデータ送信方法を開示し、当該方法は、以下のような処理動作ステップを含んでいる。
【００１６】
ステップ１０１：  少なくとも一つの１次リソース群の各々の中において少なくとも２つの２次リソース群を設定するステップであって、その際に、前記２次リソース群の各々は、少なくとも２つの基準信号を伝送可能であり、前記少なくとも２つの基準信号の各々は、互いに異なるアンテナ・ポートと対応している、ステップ。
【００１７】
１次リソース群は、物理リソース・ブロックのペアとすることが可能であり、２次リソース群は、リソース・エレメント（ＲＥ）の集合とすることが可能であり、当該少なくとも２つの基準信号の各々は、一つのアンテナ・ポートに対応しており、複数の２次リソース群は、時間方向と周波数方向において互いに直交する関係にあり、２次リソース群の各々は、１２個のＲＥをそれぞれ含んでいる。
【００１８】
例えば、８個のアンテナ・ポートは、ＤＭＲＳポート７乃至ＤＭＲＳポート１４として定義することが可能であり、ＤＭＲＳポートの各々は、一つのＤＭＲＳと対応しており、各ＤＭＲＳに関する情報は、当該ＤＭＲＳによって占有されている時間／周波数リソースとＤＭＲＳシーケンスを含んでいる。ＤＭＲＳポート｛７，８，１１，１３｝とそれぞれ関連付けられている複数のＤＭＲＳは、物理リソース・ブロックのペア（ＰＲＢペア）上の１２個のＲＥの上において定義され又は設定される。より具体的には、一つの物理リソース・ブロックは、周波数領域において１２個の連続したサブキャリアを含んでおり、時間領域において７個の連続したＯＦＤＭシンボル区間を含んでおり、物理リソース・ブロックの一つのペアとは、時間的に連続している２つの物理リソース・ブロックのことを指して言う。例えば、物理リソース・ブロックの一つのペアは、周波数領域において１２個の連続したサブキャリアを含んでおり、時間領域において１４個の連続したＯＦＤＭシンボル区間を含んでおり、この場合において、前半の７個のＯＦＤＭシンボル区間にわたる部分は、第１の物理リソース・ブロックに属しており、後半の７個のＯＦＤＭシンボル区間にわたる部分は、第２の物理リソース・ブロックに属している。ＤＭＲＳポート｛９，１０，１２，１４｝とそれぞれ関連付けられている複数のＤＭＲＳは、同一のＰＲＢペア上の１２個のＲＥの上において定義され又は設定される。図５乃至図８は、上述したＰＲＢペア内において、ＤＭＲＳポート｛７，８｝とＤＭＲＳポート｛９，１０｝の４個のポートによって占有される時間／周波数リソースの配置状況をそれぞれ個別に図示し、ポート７とポート８とは同一の時間／周波数リソースを占有するけれどもそれら２つのポートとそれぞれ関連するＤＭＲＳシーケンスによって互いに区別され、ポート９とポート１０についても、ポート７とポート８に関する上記説明と同様のことが言える。ＤＭＲＳポートが８個の存在するような状況の下では、ＤＭＲＳポート｛７，８，１１，１３｝とそれぞれ関連付けられている複数のＤＭＲＳは、同一の時間／周波数リソースを占有するけれどもそれら４つのポートとそれぞれ関連するＤＭＲＳシーケンスによって互いに区別され、同様にして、ＤＭＲＳポート｛９，１０，１２，１４｝とそれぞれ関連付けられている複数のＤＭＲＳは、同一の時間／周波数リソースを占有するけれどもそれら４つのポートとそれぞれ関連するＤＭＲＳシーケンスによって互いに区別される。
【００１９】
ステップ１０２：  送信すべきデータを符号化処理し、当該符号化処理されたデータから２つのデータ・ストリームを生成するステップ。
【００２０】
上述した符号化処理の具体的方法は、時空間ブロック符号化または空間周波数ブロック符号化のいずれかである。
【００２１】
さらに別の技術的側面においては、上述した符号化処理は、プリコーディング処理とすることも可能である。すなわち、時空間ブロック符号化または空間周波数ブロック符号化は、プリコーディング処理の一つの特殊な実装例として表すことが出来るので、送信される必要のあるデータの上でプリコーディング処理が実行される。プリコーディング処理における特定の演算操作は、データ送信の際に使用される一つの基準信号と関連している。使用される基準信号がＬＴＥシステムにおけるＣＲＳ（Ｃｅｌｌ−ｓｐｅｃｉｆｉｃ  Ｒｅｆｅｒｅｎｃｅ  Ｓｉｇｎａｌ）等のようにセル毎に固有の基準信号である場合には、この時点で実行されるプリコーディング処理は、以下のとおりに実行される。まず、プリコーディング用の行列やベクトルを使用してデータをプリコーディング処理する。続いて、プリコーディング処理がされた後の各データ・ストリームは、一つのＣＲＳと対応している一つのアンテナ・ポートにそれぞれ対応する。使用される基準信号がＬＴＥシステムにおけるＤＭＲＳ（ＵＥ−ｓｐｅｃｉｆｉｃ  Ｒｅｆｅｒｅｎｃｅ  Ｓｉｇｎａｌ）等のようにＵＥ毎に固有の基準信号である場合には、この時点で実行されるプリコーディング処理は、以下のとおりに実行される。データは、一つのＤＭＲＳと対応している一つのアンテナ・ポートに直接対応しており、それにより、対応する一つのデータ・ストリームが取得される。例えば、所定の整数をＮと表記するならば、以下のとおりに表されるプリコーディング処理
【数１】
2020123969.tif 000003
は、データ
【数２】
2020123969.tif 000004
がＤＭＲＳアンテナ・ポート７に直接的に対応し、データ
【数３】
2020123969.tif 000005
がＤＭＲＳアンテナ・ポート８に直接的に対応し、取得されることとなる対応するデータ・ストリームは、
【数４】
2020123969.tif 000006
となる。
【００２２】
ここで、第１のデータ・ストリームは、一つの基準信号と対応している一つのアンテナ・ポートと対応し、当該一つの基準信号が属する２次リソース群は、１次リソース群に含まれる複数の２次リソース群の中における最初の２次リソース群である。さらに、第２のデータ・ストリームは、一つの基準信号と対応している一つのアンテナ・ポートと対応し、当該一つの基準信号が属する２次リソース群は、１次リソース群に含まれる複数の２次リソース群の中における２番目の２次リソース群である。データが符号化処理された後に生成された２つのデータ・ストリームのそれぞれの長さは、互いに等しい場合と等しくない場合とがあり得る。例えば、送信される必要のあるデータが
【数５】
2020123969.tif 000007
であり、Ｎが偶数を表す場合を考える。この場合、互いに等しい長さを有する２つのデータ・ストリームは、時空間ブロック符号化または空間周波数ブロック符号化を実行することによって取得され、互いに等しい長さを有する２つのデータ・ストリームはさらに、例えば、データに対して以下のようなプリコーディング処理を適用することによって取得することも可能である。
【数６】
2020123969.tif 000008
また、互いに等しくない長さを有する２つのデータ・ストリームは、例えば、データに対して以下のようなプリコーディング処理を適用することによって取得することも可能である。例えば、第１のデータ・ストリームは、
【数７】
2020123969.tif 000009
と表され、第２のデータ・ストリームは、
【数８】
2020123969.tif 000010
と表され、この場合、少なくとも一つの１次リソース群の中で使用されるＤＭＲＳポートは、ポート７とポート９であると仮定される。加えて、第１のデータ・ストリームは、
【数９】
2020123969.tif 000011
および
【数１０】
2020123969.tif 000012
を含むことが可能であり、第２のデータ・ストリームは、
【数１１】
2020123969.tif 000013
および
【数１２】
2020123969.tif 000014
を含むことが可能であり、この場合、
【数１３】
2020123969.tif 000015
のそれぞれの値は０となる場合もあり得る。この場合、２つの１次リソース群が存在し、当該２つの１次リソース群のうちの最初の１次リソース群において使用されるＤＭＲＳポートは、ポート７とポート９であり、当該２つの１次リソース群のうちの２番目の１次リソース群において使用されるＤＭＲＳポートは、ポート８とポート１０である。
【００２３】
ステップ１０３：  ２つの異なるアンテナ・ポートについての利用可能なリソース・エレメントの上に２つのデータ・ストリームをマッピングするステップ。
【００２４】
２つの互いに異なるアンテナ・ポートにそれぞれ対応する２つの基準信号は、２つの異なる２次リソース群の上に設定される。加えて、各アンテナ・ポートについての利用可能なリソース・エレメントとは、上述した符号化処理によって生成されるデータ・ストリームを送信するように構成することが可能なリソース・エレメントを指して言う。例えば、ＰＤＣＣＨと基準信号によって占有されるリソース・エレメントを除き、それ以外のリソース・エレメントは、当該データ・ストリームを送信するように構成することが可能である。
【００２５】
ステップ１０４：  当該２つの互いに異なるアンテナ・ポートの利用可能なリソース・エレメントの上において、当該２つの互いに異なるアンテナ・ポートにマッピングされたデータを送信するステップ。
【００２６】
この実施例は、図２に示すようなデータ送信装置を開示し、当該装置は、設定ユニット２１、生成ユニット２２、マッピング・ユニット２３および送信ユニット２４を含んでいる。
【００２７】
設定ユニット２１は、少なくとも一つの１次リソース群の各々の中において少なくとも２つの２次リソース群を設定するように構成されており、前記２次リソース群の各々は、少なくとも２つの基準信号を伝送可能であり、前記少なくとも２つの基準信号の各々は、互いに異なるアンテナ・ポートと対応している。
【００２８】
１次リソース群は、物理リソース・ブロックのペアとすることが可能であり、２次リソース群は、リソース・エレメント（ＲＥ）の集合とすることが可能であり、当該少なくとも２つの基準信号の各々は、一つのアンテナ・ポートに対応しており、複数の２次リソース群は、時間方向と周波数方向において互いに直交する関係にあり、２次リソース群の各々は、１２個のＲＥをそれぞれ含んでいる。
【００２９】
例えば、８個のアンテナ・ポートは、ＤＭＲＳポート７乃至ＤＭＲＳポート１４として定義することが可能であり、ＤＭＲＳポートの各々は、一つのＤＭＲＳと対応しており、各ＤＭＲＳに関する情報は、当該ＤＭＲＳによって占有されている時間／周波数リソースとＤＭＲＳシーケンスを含んでいる。ＤＭＲＳポート｛７，８，１１，１３｝とそれぞれ関連付けられている複数のＤＭＲＳは、物理リソース・ブロックのペア（ＰＲＢペア）上の１２個のＲＥの上において定義され又は設定される。より具体的には、一つの物理リソース・ブロックは、周波数領域において１２個の連続したサブキャリアを含んでおり、時間領域において７個の連続したＯＦＤＭシンボル区間を含んでおり、物理リソース・ブロックの一つのペアとは、時間的に連続している２つの物理リソース・ブロックのことを指して言う。例えば、物理リソース・ブロックの一つのペアは、周波数領域において１２個の連続したサブキャリアを含んでおり、時間領域において１４個の連続したＯＦＤＭシンボル区間を含んでおり、この場合において、前半の７個のＯＦＤＭシンボル区間にわたる部分は、第１の物理リソース・ブロックに属しており、後半の７個のＯＦＤＭシンボル区間にわたる部分は、第２の物理リソース・ブロックに属している。ＤＭＲＳポート｛９，１０，１２，１４｝とそれぞれ関連付けられている複数のＤＭＲＳは、同一のＰＲＢペア上の１２個のＲＥの上において定義され又は設定される。図５乃至図８は、上述したＰＲＢペア内において、ＤＭＲＳポート｛７，８｝とＤＭＲＳポート｛９，１０｝の４個のポートによって占有される時間／周波数リソースの配置状況をそれぞれ個別に図示し、ポート７とポート８とは同一の時間／周波数リソースを占有するけれどもそれら２つのポートとそれぞれ関連するＤＭＲＳシーケンスによって互いに区別され、ポート９とポート１０についても、ポート７とポート８に関する上記説明と同様のことが言える。ＤＭＲＳポートが８個の存在するような状況の下では、ＤＭＲＳポート｛７，８，１１，１３｝とそれぞれ関連付けられている複数のＤＭＲＳは、同一の時間／周波数リソースを占有するけれどもそれら４つのポートとそれぞれ関連するＤＭＲＳシーケンスによって互いに区別され、同様にして、ＤＭＲＳポート｛９，１０，１２，１４｝とそれぞれ関連付けられている複数のＤＭＲＳは、同一の時間／周波数リソースを占有するけれどもそれら４つのポートとそれぞれ関連するＤＭＲＳシーケンスによって互いに区別される。
【００３０】
生成ユニット２２は、送信すべきデータを符号化処理し、当該符号化処理されたデータから２つのデータ・ストリームを生成するように構成されている。
【００３１】
上述した符号化処理の具体的方法は、時空間ブロック符号化または空間周波数ブロック符号化のいずれかである。
【００３２】
加えて、上述した符号化処理は、プリコーディング処理とすることも可能である。すなわち、時空間ブロック符号化または空間周波数ブロック符号化は、プリコーディング処理の一つの特殊な実装例として表すことが出来るので、送信される必要のあるデータの上でプリコーディング処理が実行される。
【００３３】
マッピング・ユニット２３は、２つの互いに異なるアンテナ・ポートの利用可能なリソース・エレメントの上に、前記生成ユニット２２によって生成された２つのデータ・ストリームをマッピングするように構成されている。
【００３４】
２つの互いに異なるアンテナ・ポートにそれぞれ対応する２つの基準信号は、２つの異なる２次リソース群の上に設定される。加えて、各アンテナ・ポートについての利用可能なリソース・エレメントとは、上述した符号化処理によって生成されるデータ・ストリームを送信するように構成することが可能なリソース・エレメントを指して言う。例えば、ＰＤＣＣＨと基準信号によって占有されるリソース・エレメントを除き、それ以外のリソース・エレメントは、当該データ・ストリームを送信するように構成することが可能である。
【００３５】
送信ユニット２４は、２つの互いに異なるアンテナ・ポートの利用可能なリソース・エレメントの上において、マッピング・ユニット２３によって当該２つの互いに異なるアンテナ・ポートにマッピングされたデータを送信するように構成されている。
【００３６】
本発明に係る実施例によって開示されるデータ送信方法及びデータ送信装置においては、まず最初に、少なくとも一つの１次リソース群の各々の中において少なくとも２つの２次リソース群が設定され、２次リソース群の各々において、少なくとも２つの基準信号が設定され、続いて、送信する必要のあるデータが符号化処理された後に、２つのデータ・ストリームが生成され、続いて、２つの互いに異なるアンテナ・ポートの利用可能なリソース・エレメントの上に当該２つのデータ・ストリームがマッピングされ、互いに異なるアンテナ・ポートと対応している当該少なくとも２つの基準信号の各々は、２つの異なる２次リソース群の上に設定され、最後に、上記２つの互いに異なるアンテナ・ポートの上記利用可能なリソース・エレメントの上において、上記２つの互いに異なるアンテナ・ポートから送信されるべきデータが送信される。現状において、データは、以下の２種類の符号化方式、すなわち、ＳＦＢＣとＳＴＢＣに従って同時に送信されるが、ｅ−ＰＤＣＣＨ上のデータ送信は２種類の送信ダイバーシティ方式を採用する必要があるので、ｅＮＢとＵＥ（ユーザ機器）との間において送受信を行う際の複雑性が増大してしまう。しかしながら、本発明に係る実施例によって開示される実施例においては、データの送信を可能とするために、単一の送信ダイバーシティ方式だけが必要とされ、それによって、ｅＮＢとＵＥ（ユーザ機器）との間において送受信を行う際の複雑性が増大してしまうという問題点に加え、チャネル推定の性能が劣悪となってしまう問題点を解決することが可能となり、さらには、基準信号同士を時間周波数方向において互いに直交する関係とすることにより、チャネル推定の性能を向上させることもできる。
【００３７】
＜第２実施例＞
本発明に係る第１実施例は、図３のフローチャートに示すようなデータ送信方法を開示し、当該方法は、以下のような処理動作ステップを含んでいる。
【００３８】
ステップ３０１：  少なくとも一つの１次リソース群の各々の中において少なくとも２つの２次リソース群を設定し、当該２次リソース群の各々において、少なくとも２つの基準信号を設定するステップ。
【００３９】
１次リソース群は、物理リソース・ブロックのペアとすることが可能であり、２次リソース群は、リソース・エレメント（ＲＥ）の集合とすることが可能であり、当該少なくとも２つの基準信号の各々は、一つのアンテナ・ポートに対応しており、複数の２次リソース群は、時間方向と周波数方向において互いに直交する関係にあり、２次リソース群の各々は、１２個のＲＥをそれぞれ含んでいる。
【００４０】
ステップ３０２：  送信すべきデータを符号化処理し、当該符号化処理されたデータから２つのデータ・ストリームを生成するステップ。
【００４１】
上述した符号化処理の具体的方法は、時空間ブロック符号化または空間周波数ブロック符号化のいずれかである。
【００４２】
加えて、上述した符号化処理は、プリコーディング処理とすることも可能である。すなわち、時空間ブロック符号化または空間周波数ブロック符号化は、プリコーディング処理の一つの特殊な実装例として表すことが出来るので、送信される必要のあるデータの上でプリコーディング処理が実行される。
【００４３】
ステップ３０３：  ２つの異なるアンテナ・ポートについての利用可能なリソース・エレメントの上に２つのデータ・ストリームをマッピングするステップ。
【００４４】
２つの互いに異なるアンテナ・ポートにそれぞれ対応する２つの基準信号は、２つの異なる２次リソース群の上に設定される。
【００４５】
ステップ３０４：  当該２つの互いに異なるアンテナ・ポートの利用可能なリソース・エレメントの上において、当該２つの互いに異なるアンテナ・ポートにマッピングされたデータを送信するステップ。
【００４６】
より具体的には、本発明に係るこの実施例においては、複数のアンテナ・ポートは複数のＤＭＲＳポートであり、図５乃至図８において示すように、２つの２次リソース群内の複数のＲＥは、ＰＲＢペアである１次リソース群内において定義され、この場合、２次リソース群の各々は、１２個のＲＥをそれぞれ含んでおり、複数のＲＥから成るこれら２つのグループは、時間方向と周波数方向において互いに直交する関係にあり、２つの基準信号は、１２個のＲＥから成る第１のグループ上において定義され、これら２つの基準信号は、ＤＭＲＳポート７とＤＭＲＳポート８にそれぞれ対応し、上記以外の他の２つの基準信号は、１２個のＲＥから成る第２のグループ上において定義され、ＤＭＲＳポート９とＤＭＲＳポート１０にそれぞれ対応する。この実施例において採用されている２つのアンテナ・ポートは、１２個のＲＥから成る第１のグループと１２個のＲＥから成る第２のグループのそれぞれの上において定義されている基準信号にそれぞれ対応し、上述した２つのアンテナ・ポートは、ＤＭＲＳポート７と９、ＤＭＲＳポート８と１０、ＤＭＲＳポート８と９またはＤＭＲＳポート８と１０に対応している。さらに、この実施例において採用される２つのアンテナ・ポートがＤＭＲＳポート７と９に対応するならば、この実施例において採用される送信ダイバーシティ方式は、ＳＦＢＣであり、ｅ−ＰＤＣＣＨ上で送信される必要のあるデータはＳＦＢＣ符号化に従って符号化処理されることにより、２つのデータ・ストリームが取得され、これら２つのデータ・ストリームは、ＤＭＲＳポート７と９の上にそれぞれ個別にマッピングされる。図９と図１０に示すように、図中においては、複数のＲＥから成る前半の３列はＰＤＣＣＨとして使用される領域であり、この部分に含まれるリソース・エレメント（ＲＥ）は、利用不可能なＲＥであり、上記２つのポートにマッピングされた同一の時間／周波数リソース位置にある「１」および「２」と表記した部分は、Ａｌａｍｏｕｔｉ符号の出力を送信するのに使用され、「１」および「２」と表記されたリソース・エレメント（ＲＥ）は、利用可能なリソース・エレメント（ＲＥ）である。
【００４７】
例えば、ｅ−ＰＤＣＣＨ上において送信される必要のある変調シンボルの集合は、
【数１４】
2020123969.tif 000016
と表記され、この場合、
【数１５】
2020123969.tif 000017
は、一つの変調シンボルを表し、Ｎは正の整数である。上記数式におけるＤは、複数の変調シンボルから成る２つの集合「Ｘ」および「Ｙ」に分割され、これらはそれぞれ、
【数１６】
2020123969.tif 000018
と表され、この場合、
【数１７】
2020123969.tif 000019
となる。続いて、以下の数式
【数１８】
2020123969.tif 000020
で表されるＳＦＢＣ符号化処理が上述した集合「Ｘ」および「Ｙ」の中に要素として含まれる複数のシンボルに対して実行され、この場合、上記数式における「＊」は、複素共役演算を実行することにより２つのデータ・ストリーム「Ｍ」と「Ｎ」が得られることを表し、「Ｍ」と「Ｎ」をより具体的に表記すると、
【数１９】
2020123969.tif 000021
および
【数２０】
2020123969.tif 000022
となり、この場合、
【数２１】
2020123969.tif 000023
であり、かつ、
【数２２】
2020123969.tif 000024
である。続いて、上述した２つのデータ・ストリーム「Ｍ」と「Ｎ」は、ＤＭＲＳポート７と９の上にそれぞれマッピングされる。
【００４８】
本発明に係るこの実施例における送信ダイバーシティ方式は、上述したＳＦＢＣに限られない。図１１および図１２において示すように、一つのＰＲＢペア内において利用可能なＯＦＤＭシンボルの個数が奇数個である場合には、利用可能なＯＦＤＭシンボルの個数は２個となり、ＳＴＢＣを採用することもまた可能となる。図中において、複数のＲＥから成る前半の２列は、ＰＤＣＣＨとして使用される領域であり、この部分に含まれるリソース・エレメント（ＲＥ）は利用不可能である。
【００４９】
ステップ３０５：  少なくとも２つの外部無線周波数ユニットが一つのマクロ基地局に接続され、それらの外部無線周波数ユニットに対して当該マクロ基地局と同一のセル識別子が与えられており、当該少なくとも２つの外部無線周波数ユニットの中の一つが、ユーザ機器へのサービスを提供する場合には、当該少なくとも２つの外部無線周波数ユニットにそれぞれ異なるアンテナ・ポートを割り当て、データを送信するために、当該データを当該割り当てられた複数のアンテナ・ポートの上にマッピングするステップ。
【００５０】
より具体的には、ヘテロジニアス（非均質）ネットワーク内で実現可能なシナリオにおいては、マクロ基地局の他に、マクロ・セルによってカバーされる領域内において複数のＲＲＨが設置され、これら複数のＲＲＨは、光ファイバーまたはその他の接続手段を介して当該マクロ基地局に接続され、これら複数のＲＲＨには、これらのＲＲＨが配置されているマクロ・セルと同一のセル識別子（セルＩＤ）が与えられ、ＤＭＲＳに基づく送信モードが採用されていることに起因して、各ＲＲＨは何人かのユーザを個別にサービスすることが可能であるが、各ＲＲＨはユーザにとっては透過的な存在に見える。このシナリオの下では、ＲＲＨの境界領域においてサービスされているユーザは、隣接する他のＲＲＨからの干渉を受け、図１３に示すように、ＲＲＨ２によってサービスされているＵＥ＿５は、ＲＲＨ１からの干渉を受ける。ＤＭＲＳはチャネルを推定するために使用され、データ・チャネルは、チャネル推定の結果を利用することにより検出されるので、ＤＭＲＳ干渉におけるこの干渉の影響はずい分と深刻である。
【００５１】
本発明に係るこの実施例が上述したシナリオに対して適用される場合には、複数のＤＭＲＳ同士の間での干渉は、異なるＲＲＨまたは異なるＵＥに対して互いに異なるＤＭＲＳポートを割り当てることにより回避することが可能である。これは、一般性を失うことなく、特定の具体例を使用して以下のように例示することが出来る。図１３に示すＲＲＨ１とＲＲＨ２を引き続き一例として説明をするならば、ＲＲＨ１またはＲＲＨ１においてサービスされているＵＥに割り当てることが可能なＤＭＲＳポートは、それぞれポート７とポート９であり、ＲＲＨ２またはＲＲＨ２においてサービスされているＵＥに割り当てることが可能なＤＭＲＳポートは、それぞれポート８とポート１０である。このようにして、各ＲＲＨ内における一つのＵＥは、送信中においてＳＦＢＣを単一の送信ダイバーシティ方式として使用することだけが必要である。加えて、複数のリソース・エレメント（ＲＥ）から成る同一のグループの上において定義されているＤＭＲＳポート７と８（またはＤＭＲＳポート９と１０）とそれぞれ関連付けられている複数のＤＭＲＳシーケンスは、互いに直交しているか疑似直交関係にあるので、２つのＲＲＨの境界に位置する複数のＵＥの複数のＤＭＲＳ同士の間における干渉は、回避され又は低減されることが可能であり、その結果、チャネル推定の性能を改善することが可能となる。
【００５２】
本発明に係るこの実施例においては、上述した少なくとも２つのＰＲＢペアは、周波数領域上において連続したもの又は離散配置されたものとすることが可能であり、離散配置される場合の方が好適である。以下の説明においては、ｅ−ＰＤＣＣＨを送信するために４つのＰＲＢペアが使用され、これら４つのＰＲＢペアは、周波数領域上において離散配置されており、上述した送信ダイバーシティ方式が採用されると仮定する。ｅ−ＰＤＣＣＨが送信される際に、各ｅ−ＰＤＣＣＨは、これら４つのＰＲＢペアにそれぞれ含まれる幾つかのＲＥの上に個別にマッピングされることが可能である。例えば、ＵＥ１のｅ−ＰＤＣＣＨは、４つの部分に分割され、これら４つの部分は、ＰＲＢペア１乃至ＰＲＢペア４のそれぞれに含まれる４番目と５番目のＯＦＤＭシンボル区間に位置する複数のＲＥの上にマッピングされる。さもなければ、少なくとも２つのＵＥのｅ−ＰＤＣＣＨは、共配置され又はインタリーブ配置され、続いてインタリーブ処理されたデータが特定のマッピング規則に従って、上述した４つのＰＲＢペアのそれぞれの中にマッピングされる。
【００５３】
この実施例は、図４に示すようなデータ送信装置を開示し、当該装置は、設定ユニット４１、生成ユニット４２、マッピング・ユニット４３、送信ユニット４４および割り当てユニット４５を含んでいる。
【００５４】
設定ユニット４１は、少なくとも一つの１次リソース群の各々の中において少なくとも２つの２次リソース群を設定するように構成されており、当該２次リソース群の各々の中で少なくとも２つの基準信号を搬送することが可能となるように構成されている。
【００５５】
１次リソース群は、物理リソース・ブロックのペアとすることが可能であり、２次リソース群は、リソース・エレメント（ＲＥ）の集合とすることが可能であり、当該少なくとも２つの基準信号の各々は、一つのアンテナ・ポートに対応しており、複数の２次リソース群は、時間方向と周波数方向において互いに直交する関係にあり、２次リソース群の各々は、１２個のＲＥをそれぞれ含んでいる。
【００５６】
生成ユニット４２は、送信すべきデータを符号化処理し、当該符号化処理されたデータから２つのデータ・ストリームを生成するように構成されている。
【００５７】
上述した符号化処理の具体的方法は、時空間ブロック符号化または空間周波数ブロック符号化のいずれかである。
【００５８】
加えて、上述した符号化処理は、プリコーディング処理とすることも可能である。すなわち、時空間ブロック符号化または空間周波数ブロック符号化は、プリコーディング処理の一つの特殊な実装例として表すことが出来るので、送信される必要のあるデータの上でプリコーディング処理が実行される。
【００５９】
マッピング・ユニット４３は、２つの互いに異なるアンテナ・ポートの利用可能なリソース・エレメントの上に、前記生成ユニット４２によって生成された２つのデータ・ストリームをマッピングするように構成されている。
【００６０】
当該２つの異なるアンテナ・ポートにそれぞれ対応する基準信号は、２つの異なる２次リソース群の上において搬送される。
【００６１】
送信ユニット４４は、２つの互いに異なるアンテナ・ポートの利用可能なリソース・エレメントの上において、マッピング・ユニット２３によって当該２つの互いに異なるアンテナ・ポートにマッピングされたデータを送信するように構成されている。
【００６２】
割り当てユニット４５は、少なくとも２つの外部無線周波数ユニットが一つのマクロ基地局に接続され、それらの外部無線周波数ユニットに対して当該マクロ基地局と同一のセル識別子が与えられており、当該少なくとも２つの外部無線周波数ユニットの中の一つが、ユーザ機器へのサービスを提供する場合に、当該少なくとも２つの外部無線周波数ユニットにそれぞれ異なるアンテナ・ポートを割り当てるように構成されており、マッピング・ユニット４３は、データを送信するために、割り当てユニット４５によって割り当てられた複数のアンテナ・ポートの上に当該データをマッピングする。
【００６３】
本発明に係る実施例によって開示されるデータ送信方法及びデータ送信装置においては、まず最初に、少なくとも一つの１次リソース群の各々の中において少なくとも２つの２次リソース群が設定され、２次リソース群の各々において、少なくとも２つの基準信号が設定され、続いて、送信する必要のあるデータが符号化処理された後に、２つのデータ・ストリームが生成され、続いて、２つの互いに異なるアンテナ・ポートの利用可能なリソース・エレメントの上に当該２つのデータ・ストリームがマッピングされ、互いに異なるアンテナ・ポートと対応している当該少なくとも２つの基準信号の各々は、２つの異なる２次リソース群の上に設定され、最後に、上記２つの互いに異なるアンテナ・ポートの上記利用可能なリソース・エレメントの上において、上記２つの互いに異なるアンテナ・ポートから送信されるべきデータが送信される。現状において、データは、以下の２種類の符号化方式、すなわち、ＳＦＢＣとＳＴＢＣに従って同時に送信されるが、ｅ−ＰＤＣＣＨ上のデータ送信は２種類の送信ダイバーシティ方式を採用する必要があるので、ｅＮＢとＵＥ（ユーザ機器）との間において送受信を行う際の複雑性が増大してしまう。しかしながら、本発明に係る実施例によって開示される実施例においては、データの送信を可能とするために、単一の送信ダイバーシティ方式だけが必要とされ、それによって、ｅＮＢとＵＥ（ユーザ機器）との間において送受信を行う際の複雑性が増大してしまうという問題点に加え、チャネル推定の性能が劣悪となってしまう問題点を解決することが可能となり、さらには、基準信号同士を時間周波数方向において互いに直交する関係とすることにより、チャネル推定の性能を向上させることもできる。
【００６４】
本発明に係る実施例によって開示されるデータ送信装置は、本発明に関して上述した方法に係る実施例を実装することが可能である。そのような装置における特定の機能の実装に関しては、本発明に関して上述した方法に係る実施例における例示的内容が参照されるが、それらをここで繰り返し説明するのは省略する。本発明に係る実施例によって開示されるデータ送信方法及びデータ送信装置は、通信システムの技術分野に適用することが可能であるが、適用可能な技術分野はそれだけに限定されない。
【００６５】
当該技術分野における当業者であれば、本発明に関して上述した方法に係る実施例において実行される処理過程の一部または全ては、コンピュータ・プログラムの命令コードによる制御の下で関連するハードウェア装置によって実現される。そのようなコンピュータ・プログラムは、コンピュータ読み出し可能な記憶媒体の中に記憶させることが可能である。当該コンピュータ・プログラムが実行される際に、本発明に関して上述した方法に係る実施例における一連の処理過程が実行される。上記のような記憶媒体は、磁気ディスク、光ディスク、読み出し専用メモリ（ＲＯＭ）、ランダム・アクセス・メモリ（ＲＡＭ）等とすることが可能である。
【００６６】
本発明に関して上述した発明の詳細な説明は、単に本発明に関する具体的な実施例であるに過ぎず、本発明の権利保護範囲を限定することを意図するものではない。本発明の技術的範囲内に含まれる発明に基づいて当該技術分野における当業者が直ちに想到することが可能な変形実施例や置換実施例の全ては、本発明の権利保護範囲内に含まれるべきである。従って、本発明の権利保護範囲は、本明細書に添付した特許請求の範囲  
の記載によって画定される権利保護範囲として規定されることとなる。
【符号の説明】
【００６７】
２１、４１  設定ユニット
２２、４２  生成ユニット
４５  割り当てユニット
２３、４３  マッピング・ユニット
２４、４４  送信ユニット
【図１】
2020123969.tif 000025
【図２】
2020123969.tif 000026
【図３】
2020123969.tif 000027
【図４】
2020123969.tif 000028
【図５】
2020123969.tif 000029
【図６】
2020123969.tif 000030
【図７】
2020123969.tif 000031
【図８】
2020123969.tif 000032
【図９】
2020123969.tif 000033
【図１０】
2020123969.tif 000034
【図１１】
2020123969.tif 000035
【図１２】
2020123969.tif 000036
【図１３】
2020123969.tif 000037
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
基準信号及びストリームを受信する方法であって、
装置により、第１ストリーム及び前記第１ストリームに関連付けられた第１基準信号を受信するステップと、
前記装置により、第２ストリーム及び前記第２ストリームに関連付けられた第２基準信号を受信するステップと、
前記第１ストリーム及び前記第２ストリームを復号するステップと、
を含み、
前記第１基準信号は第１アンテナ・ポートに対応し第１リソース・グループで伝送され、前記第１ストリームは前記第１アンテナ・ポートのリソースで伝送され、
前記第２基準信号は第２アンテナ・ポートに対応し第２リソース・グループで伝送され、前記第２ストリームは前記第２アンテナ・ポートのリソースで伝送され、
前記第１リソース・グループは２つの異なるアンテナ・ポートに対応する２つの基準信号を伝送可能であり、前記第２リソース・グループは２つの異なるアンテナ・ポートに対応する基準信号を伝送可能可能である、方法。
【請求項２】
前記第１リソース・グループのリソース・エレメント及び前記第２リソース・グループのリソース・エレメントは互いに直交する、請求項１に記載の方法。
【請求項３】
前記第１リソース・グループは１２個のリソース・エレメントを含み、
前記第２リソース・グループは１２個のリソース・エレメントを含む、
請求項１又は２に記載の方法。
【請求項４】
前記第１ストリームの伝送される前記第１アンテナ・ポートの前記リソースは、物理ダウンリンク制御チャネル及び基準信号により占有されるリソースを除き、
前記第２ストリームの伝送される前記第２アンテナ・ポートの前記リソースは、物理ダウンリンク制御チャネル及び基準信号により占有されるリソースを除く、
請求項１乃至３のいずれか一項に記載の方法。
【請求項５】
前記第１基準信号及び前記第２基準信号は、復調基準信号である、請求項１乃至４のいずれか一項に記載の方法。
【請求項６】
前記第１ストリーム及び前記第２ストリームは、データストリームである、請求項１乃至５のいずれか一項に記載の方法。
【請求項７】
前記第１ストリーム及び前記第２ストリームは、前記第１アンテナ・ポート及び前記第２アンテナ・ポートで伝送される物理ダウンリンクチャネルのストリームである、請求項１乃至６のいずれか一項に記載の方法。
【請求項８】
基準信号及びストリームを受信する装置であって、メモリに結合されたプロセッサを含み、前記プロセッサは前記メモリから命令を読み出し、前記命令を実行して請求項１乃至７のいずれか一項に記載の方法を実行するよう構成される、装置。
【請求項９】
請求項１乃至７のいずれか一項に記載の方法を実施するための命令を含むコンピュータプログラム。
【請求項１０】
請求項１乃至７のいずれか一項に記載の方法を実施するためのプログラムを含むコンピュータ可読コードを格納したコンピュータ可読記憶媒体。
【請求項１１】
基準信号及びストリームを送信する方法であって、
装置により、第１ストリーム及び第２ストリームを生成するステップと、
前記装置により、前記第１ストリーム及び前記第１ストリームに関連付けられた第１基準信号を送信するステップと、
前記装置により、第２ストリーム及び前記第２ストリームに関連付けられた第２基準信号を送信するステップと、
を含み、
前記第１基準信号は第１アンテナ・ポートに対応し第１リソース・グループで伝送され、前記第１ストリームは前記第１アンテナ・ポートのリソースで伝送され、
前記第２基準信号は第２アンテナ・ポートに対応し第２リソース・グループで伝送され、前記第２ストリームは前記第２アンテナ・ポートのリソースで伝送され、
前記第１リソース・グループは２つの異なるアンテナ・ポートに対応する２つの基準信号を伝送可能であり、前記第２リソース・グループは２つの異なるアンテナ・ポートに対応する２つの基準信号を伝送可能可能である、方法。
【請求項１２】
前記第１リソース・グループのリソース・エレメント及び前記第２リソース・グループのリソース・エレメントは互いに直交する、請求項１１に記載の方法。
【請求項１３】
前記第１リソース・グループは１２個のリソース・エレメントを含み、前記第２リソース・グループは１２個のリソース・エレメントを含む、請求項１１又は１２に記載の方法。
【請求項１４】
前記第１ストリームの伝送される前記第１アンテナ・ポートの前記リソースは、物理ダウンリンク制御チャネル及び基準信号により占有されるリソースを除き、前記第２ストリームの伝送される前記第２アンテナ・ポートの前記リソースは、物理ダウンリンク制御チャネル及び基準信号により占有されるリソースを除く、請求項１１乃至１３のいずれか一項に記載の方法。
【請求項１５】
前記第１基準信号及び前記第２基準信号は、復調基準信号である、請求項１１乃至１４のいずれか一項に記載の方法。
【請求項１６】
前記第１ストリーム及び前記第２ストリームは、データストリームである、請求項１１乃至１５のいずれか一項に記載の方法。
【請求項１７】
前記第１ストリーム及び前記第２ストリームは、前記第１アンテナ・ポート及び前記第２アンテナ・ポートで伝送される物理ダウンリンクチャネルのストリームである、請求項１１乃至１６のいずれか一項に記載の方法。
【請求項１８】
基準信号及びストリームを受信する装置であって、メモリに結合されたプロセッサを含み、前記プロセッサは前記メモリから命令を読み出し、前記命令を実行して請求項１１乃至１７のいずれか一項に記載の方法を実行するよう構成される、装置。
【請求項１９】
請求項１１乃至１７のいずれか一項に記載の方法を実施するための命令を含むコンピュータプログラム。
【請求項２０】
請求項１１乃至１７のいずれか一項に記載の方法を実施するためのプログラムを含むコンピュータ可読コードを格納したコンピュータ可読記憶媒体。
【請求項２１】
請求項１乃至７のいずれか一項に記載の方法を実行するための手段を含む装置。
【請求項２２】
請求項１１乃至１７のいずれか一項に記載の方法を実行するための手段を含む装置。
【手続補正２】
【補正対象書類名】明細書
【補正対象項目名】０００１
【補正方法】変更
【補正の内容】
【０００１】
＜本願と関連出願との間の相互参照＞
本特許出願は、特願２０１４−５５２５０５号の分割出願である特願２０１８−０５５０８４の分割出願であり、以下の２つの中国基礎出願に基づく優先権を主張し、その一つ目は、2012年１月21日付けで中国特許庁に出願され、「データを送信するための方法と装置」と題された中国特許出願「第２０１２１００１９８４１．８号」であり、二つ目は、2012年７月28日付けで中国特許庁に出願され、「データを送信するための方法と装置」と題された中国特許出願「第２０１２１０２６４１８９．６号」であり、これら２つに中国基礎出願の開示内容は、参照により本明細書中に組み込まれる。